(57)【特許請求の範囲】
【請求項１】
記録されたテレビ放送の番組データを読み出して再生する再生制御手段と、
前記再生制御手段による番組データの再生中に、早送り指令が入力され、当該早送り中に再生指令が入力されたときは、早送り指令が入力された時間および再生指令が入力された時間に基づいて、早送りされた時間を算出する早送り時間算出手段と、
前記早送り時間算出手段により算出された時間情報並びに早送り指令が入力された時間における再生中の画像を記憶手段に記憶する記憶制御手段と、
前記再生制御手段による番組データの再生中に、当該再生中の画像と前記記憶手段に記憶された画像とを比較して両者の画像が一致するか否かを検出する画像検出手段と、
前記画像検出手段によって両者の画像が一致することが検出されたときは、前記記憶手段に記憶された時間情報に基づいて、記録された番組データの読み出し位置を前記両者の画像が一致した位置からスキップする早送り動作を前記再生制御手段に指示する早送り制御手段と、
を備えた番組録画装置。
【請求項２】
前記早送り制御手段は、早送りの許諾又は拒否を問うメッセージを表示手段に表示し、許諾指令が入力された場合に前記再生制御手段に対して早送り動作を指示し、拒否指令が入力された場合には前記再生制御手段に再生を続行させることを特徴とする請求項１に記載の番組録画装置。
【請求項３】
前記記憶制御手段は、早送り指令が入力されたときは再生中の番組データの画像の少なくとも１フレームの静止画を記憶することを特徴とする請求項１に記載の番組録画装置。
【請求項４】
前記記憶制御手段は、早送り指令が入力されたときは再生中の番組データを識別する識別情報を画像および時間情報とともに前記記憶手段に記憶し、前記画像検出手段は、再生中の画像および識別情報と前記記憶手段に記憶された画像および識別情報とを比較して両者の画像および識別情報が一致するか否かを検出することを特徴とする請求項１に記載の番組録画装置。
【請求項５】
記録されたテレビ放送の番組データを読み出して再生するステップＡと、
前記ステップＡによる前記記録媒体に記録された番組データの再生中に、早送り指令が入力され、当該早送り中に再生指令が入力されたときは、早送り指令が入力された時間および再生指令が入力された時間に基づいて早送りされた時間を算出するステップＢと、
前記ステップＢにより算出された時間情報並びに早送り指令が入力された時間における再生中の画像を記憶手段に記憶するステップＣと、
前記ステップＡによる番組データの再生中に、当該再生中の画像と前記記憶手段に記憶された画像とを比較して両者の画像が一致するか否かを検出するステップＤと、
前記ステップＤによって両者の画像が一致することが検出されたときは、前記記憶手段に記憶された時間情報に基づいて、記録された番組データの読み出し位置を前記両者の画像が一致した位置からスキップする早送り動作を前記ステップＡに指示するステップＥと、
をコンピュータに実行させる番組再生処理のプログラム。
【請求項６】
前記ステップＥは、早送りの許諾又は拒否を問うメッセージを表示手段に表示し、許諾指令が入力された場合に前記ステップＡに対して早送り動作を指示し、拒否指令が入力された場合には前記ステップＡに再生を続行させることを特徴とする請求項５に記載の番組再生処理のプログラム。
【請求項７】
前記ステップＣは、早送り指令が入力されたときは再生中の番組データの画像の少なくとも１フレームの静止画を記憶することを特徴とする請求項５に記載の番組再生処理のプログラム。
【請求項８】
前記ステップＣは、早送り指令が入力されたときは再生中の番組データを識別する識別情報を画像および時間情報とともに前記記憶手段に記憶し、前記ステップＤは、再生中の画像および識別情報と前記記憶手段に記憶された画像および識別情報とを比較して両者の画像および識別情報が一致するか否かを検出することを特徴とする請求項５に記載の番組再生処理のプログラム。
【発明の詳細な説明】
【技術分野】
【０００１】
本発明は、番組録画装置およびその装置における番組再生処理のプログラム関するものである。
【背景技術】
【０００２】
日本国内において、放送衛星および通信衛星を利用して既に放送が開始されているＢＳ放送およびＣＳ放送の他に、地上波デジタル放送が２００３年１２月から一部の地域で放送が開始され、２０１１年には従来のすべてのアナログ地上波放送がデジタル放送に切り替わる。この地上波デジタル放送では、ＯＦＤＭ（直交周波数分割多重）方式によって、映像情報、音声情報、および文字情報の複数種類の情報をＭＰＥＧ−２システムのトランスポート・ストリームで多重化して、約６ＭＨｚの帯域を１３セグメントに分割して伝送する。すなわち、約４２９ｋＨｚの帯域幅を１個のセグメントとして構成し、１３個のセグメントを組み合わせた約６ＭＨｚを使用する。この１３セグメントの中から１０セグメントから１３セグメントを用いて表示画面が大きい据え置き型の受信装置向けの高精細・高画質のＨＤＴＶ（ハイビジョンテレビ放送）を送信する。さらに、携帯電話装置、ＰＤＡ（Personal Digital Assistants）、可搬型のテレビ受信装置、カーナビなどの表示画面が小さい移動体向けに１セグメントを用いた簡易動画放送が予定されている。
【０００３】
したがって、据え置き型の受信装置だけでなく携帯電話装置などの移動体によっても番組データを記録することが可能になり、家庭内のみならず外出先においても録画した番組データを再生する環境が整いつつある。録画した番組データを再生する場合に問題になるのがＣＭ（コマーシャル放送）の画像である。２カ国語放送の映画番組などにおいては、音声によって番組とＣＭとを識別して、ＣＭ部分を自動的にスキップすることは可能であるが、２カ国語放送でない通常の番組データを録画した場合には、音声によって番組とＣＭとを識別することができない。このため、通常の番組データの再生中においては、ＣＭの画像をスキップするために早送り操作を行う必要があるが、ＣＭのたびにこの操作を行うことは極めて煩雑である。特に、外出先において携帯電話装置、ＰＤＡ、可搬型のテレビ受信装置、カーナビなどの移動体で番組を視聴している場合には、早送り操作が自由にできない場合もある。
【０００４】
ＣＭの画像をスキップするものではないが、テレビ放送の音声信号に基づいて、録画した番組データをスキップしながら再生する録画装置の提案を記載した特許文献がある。この特許文献においては、ＢＧＭが流れることが多い、番組内で盛り上がるシーンや重要なシーンを、簡単・容易に検索することを可能にして、そのようなシーンへ手軽にスキップして再生をできるようになっている。この特許文献によれば、ＢＧＭが流れ始めたことを検出した場合にはＢＧＭ検出信号を送出し、ＢＧＭが切り換わったことを検出した場合にはＢＧＭ切り換わり検出信号を送出する。そして、ＢＧＭ検出信号又はＢＧＭ切り換わり検出信号の時間データを、録画した番組データをチャプターとして区切るためのチャプターの先頭を示すデータとして記録媒体に記録する。さらに、区切ったチャプターの先頭画面のサムネイル画像を時間データと対応付けて記録媒体に記録する。記録媒体に記録された番組データを再生する際には、各チャプターのサムネイル画像を表示して、任意のサムネイル画像が選択されたときは、そのサムネイル画像に対応するチャプターの先頭から再生を行う。（特許文献１参照）
【特許文献１】特開２００４−１４０６７５号公報
【発明の開示】
【発明が解決しようとする課題】
【０００５】
上記特許文献においては、コマーシャル検出部によってＣＭを検出したときは、ＣＭ検出信号を送出して、そのＣＭの期間にＢＧＭが流れてもＢＧＭが切り換わっても、チャプターとして区切ることはしない構成になっている。しかしながら、コマーシャル検出部がどのようにしてＣＭを検出するかについては具体的に記載されていない。上記特許文献を含む従来の技術においては、音声によって番組とＣＭとを識別することができない通常の番組データを録画した場合に、その録画データを再生するときにＣＭを検出する具体的な構成や方法は実現されていない。
本発明は、このような従来の課題を解決するためのものであり、録画した番組データを再生する際に、その番組に挿入されたＣＭ部分をスキップして再生できるようにすることを目的とする。
【課題を解決するための手段】
【０００６】
請求項１に記載の番組録画装置は、記録されたテレビ放送の番組データを読み出して再生する再生制御手段（実施形態においては、図１および図７のＣＰＵ１１０に相当する）と、再生制御手段による番組データの再生中に、早送り指令が入力され、当該早送り中に再生指令が入力されたときは、早送り指令が入力された時間および再生指令が入力された時間に基づいて、早送りされた時間を算出する早送り時間算出手段（実施形態においては、図５のステップＳ４５に相当する）と、早送り時間算出手段により算出された時間情報並びに早送り指令が入力された時間における再生中の画像を記憶手段（実施形態においては、図１および図７の記録部１１１の早送り区間情報の記憶エリアに相当する）に記憶する記憶制御手段（実施形態においては、図１および図７のＣＰＵ１１０に相当する）と、再生制御手段による番組データの再生中に、当該再生中の画像と記憶手段に記憶された画像とを比較して両者の画像が一致するか否かを検出する画像検出手段（実施形態においては、図１および図７のＣＰＵ１１０に相当する）と、画像検出手段によって両者の画像が一致することが検出されたときは、記憶手段に記憶された時間情報に基づいて、記録された番組データの読み出し位置を両者の画像が一致した位置からスキップする早送り動作を再生制御手段に指示する早送り制御手段（実施形態においては、図１および図７のＣＰＵ１１０に相当する）と、を備えた構成になっている。
【０００７】
請求項１の番組記録装置において、請求項２に記載したように、早送り制御手段は、早送りの許諾又は拒否を問うメッセージを表示手段（実施形態においては、図１の表示部１１２および図７の表示部２０６に相当する）に表示し、許諾指令が入力された場合に再生制御手段に対して早送り動作を指示し、拒否指令が入力された場合には再生制御手段に再生を続行させるような構成にしてもよい。
【０００８】
請求項１の番組記録装置において、請求項３に記載したように、記憶制御手段は、早送り指令が入力されたときは再生中の番組データの画像の少なくとも１フレームの静止画を記憶するような構成にしてもよい。
【０００９】
請求項１の番組記録装置において、請求項４に記載したように、記憶制御手段は、早送り指令が入力されたときは再生中の番組データを識別する識別情報（各実施形態においては、タイトル名に相当する）を画像および時間情報とともに記憶手段に記憶し、画像検出手段は、再生中の画像および識別情報と記憶手段に記憶された画像および識別情報とを比較して両者の画像および識別情報が一致するか否かを検出するような構成にしてもよい。
【００１０】
請求項５に記載の番組再生処理のプログラムは、記録されたテレビ放送の番組データを読み出して再生するステップＡと、ステップＡによる番組データの再生中に、早送り指令が入力され、当該早送り中に再生指令が入力されたときは、早送り指令が入力された時間および再生指令が入力された時間に基づいて早送りされた時間を算出するステップＢ（実施形態においては、図５のステップＳ４５に相当する）と、ステップＢにより算出された時間情報並びに早送り指令が入力された時間における再生中の画像を記憶手段（実施形態においては、図１および図７の記録部１１１の早送り区間情報の記憶エリアに相当する）に記憶するステップＣと、ステップＡによる番組データの再生中に、当該再生中の画像と記憶手段に記憶された画像とを比較して両者の画像が一致するか否かを検出するステップＤと、ステップＤによって両者の画像が一致することが検出されたときは、記憶手段に記憶された時間情報に基づいて、記録された番組データの読み出し位置を両者の画像が一致した位置からスキップする早送り動作をステップＡに指示するステップＥと、をコンピュータに実行させる構成になっている。
ステップＡないしステップＥは、実施形態においては、図１および図７のＣＰＵ１１０によって実行される処理に相当する。
【００１１】
請求項５の番組再生処理のプログラムにおいて、請求項６に記載したように、ステップＥは、早送りの許諾又は拒否を問うメッセージを表示手段（実施形態においては、図１の表示部１１２および図７の表示部２０６に相当する）に表示し、許諾指令が入力された場合にステップＡに対して早送り動作を指示し、拒否指令が入力された場合にはステップＡに再生を続行させるような構成にしてもよい。
【００１２】
請求項５の番組再生処理のプログラムにおいて、請求項７に記載したように、ステップＣは、早送り指令が入力されたときは再生中の番組データの画像の少なくとも１フレームの静止画を記憶するような構成にしてもよい。
【００１３】
請求項５の番組再生処理のプログラムにおいて、請求項８に記載したように、ステップＣは、早送り指令が入力されたときは再生中の番組データを識別する識別情報（各実施形態においては、タイトル名に相当する）を画像および時間情報とともに記憶手段に記憶し、ステップＤは、再生中の画像および識別情報と記憶手段に記憶された画像および識別情報とを比較して両者の画像および識別情報が一致するか否かを検出するような構成にしてもよい。
【発明の効果】
【００１４】
本発明によれば、録画した番組データを再生する際に、その番組に挿入されたＣＭ部分をスキップして再生できるという効果が得られる。
【発明を実施するための最良の形態】
【００１５】
以下、本発明による番組録画装置、および、その番組録画装置における番組再生処理のプログラムの第１実施形態および第２実施形態について、図１ないし図７を参照して詳細に説明する。
まず、第１実施形態について説明する。図１は、第１実施形態における番組録画装置の構成を示すブロック図である。この番組録画装置は、システムバスによって互いに接続された番組再生系および制御系で構成されている。番組再生系においては、地上波デジタル放送における１３セグメントのデジタル放送および１セグメントのデジタル放送の電波をアンテナＡＴから受信する。１３セグメントのチューナ１０１は、アンテナＡＴから得られる１３セグメントの電波の中で、設定チャンネルに基づく受信信号を選択する。１セグメントのチューナ１０２は、アンテナＡＴから得られる１セグメントの電波の中で、１３セグメントと同じ設定チャンネルに基づく受信信号を選択する。ＯＦＤＭ（Orthogonal Frequency Division Multiplexing）復調回路１０３は、チューナ１０１によって選択された１３セグメントの受信信号を復調する。ＯＦＤＭ復調回路１０４は、チューナ１０２によって選択された１セグメントの受信信号を復調する。１３セグメント用の復号回路１０５は、ＯＦＤＭ復調回路１０３によって復調された受信信号を映像データおよび音声データを含む１３セグメントの番組データに復号化する。１セグメント用の復号回路１０６は、ＯＦＤＭ復調回路１０４によって復調された受信信号を映像データおよび音声データを含む１セグメントの番組データに復号化する。入出力部１０７は、復号回路１０５および復号回路１０６によって復号化された番組データの映像を表示部１１２に表示し、番組データの音声を発音部１１３から発音する。
【００１６】
制御系において、ＣＰＵ１１０は、制御プログラムや初期データを記憶するＲＯＭおよびワークエリアであるＲＡＭ（いずれも図示せず）を有し、システムバスを介して、上記したチューナ１０１、１０２、ＯＦＤＭ復調回路１０３、１０４、復号回路１０５、１０６、入出力部１０７に接続されているとともに、スイッチ部１０８、ＰＳＩ（Program  Specific  Information：番組特定情報）デコーダ部１０９、および記録部１１１に接続されている。ＣＰＵ１１０は、スイッチ部１０８の操作に応じて、ＲＯＭに格納されている制御プログラムを実行し、処理するデータをＲＡＭに一時的にストアして、この番組録画装置を制御する。ＰＳＩデコーダ部１０９は、復調された受信信号から番組にタイトルやその他のデータを抽出する。記録部１１１は、例えば、ハードディスク装置（ＨＤＤ）で構成され、スイッチ部１０８の操作による録画指令に応じて、ＯＦＤＭ復調回路１０３によって復調された１３セグメントの番組データ、および、ＯＦＤＭ復調回路１０４によって復調された１セグメントの番組データ、すなわち、符号化された番組データをハードディスクなどの記録媒体に記録する。ＣＰＵ１１０はまた、スイッチ部１０８の操作による再生指令に応じて、記録部１１１に記録された１３セグメントおよび１セグメントの録画データおよび音声データを読み出して、復号回路１０５および復号回路１０６で復号化して、入出力部１０７から表示部１１２および発音部１１３に出力する。
【００１７】
図２ないし図６は、図１の番組録画装置におけるＣＰＵ１１０によって実行されるフローチャートである。
図１において、ＣＰＵ１１０は、所定のイニシャライズ（ステップＳ１）の後、スイッチ部１０８の操作による指示の有無を検索して、スイッチ部１０８の操作によってチャンネル変更指示がされたか否かを判別し（ステップＳ２）、チャンネル変更指示がされたときは、チューナ１０１、１０２に対してチャンネル変更を指示する（ステップＳ３）。次に、ＣＰＵ１１０は、録画指示がされたか否かを判別し（ステップＳ４）、録画指示がされたときは、メモリ（記録部１１１の記録媒体）内の録画番組記憶エリアの空きエリアを確保する（ステップＳ５）。次に、ＣＰＵ１１０は、ＰＳＩデコーダ部１０９より録画する番組データのタイトルを取得し（ステップＳ６）、録画フラグＲＥＣＦを１にセットし（ステップＳ７）、ＲＡＭのタイマを０にリセットする（ステップＳ８）。この後は、ＣＰＵ１１０は、ステップＳ２に移行して、スイッチ部１０８の操作の有無を検索する。
【００１８】
ＣＰＵ１１０は、スイッチ部１０８の操作によってストップ指示がされたか否かを判別し（ステップＳ９）、ストップ指示がされたときは、ＲＥＣＦが１（録画中）であるか否かを判別し（ステップＳ１０）、このフラグが１の場合には録画動作を停止して（ステップＳ１１）、ＲＥＣＦを０にリセットする（ステップＳ１２）。ステップＳ１０においてＲＥＣＦが０である場合には、ＣＰＵ１１０は、再生フラグＰＬＡＹＦが１（再生中）であるか否かを判別し（ステップＳ１３）、このフラグが１の場合には再生動作を停止して（ステップＳ１４）、ＰＬＡＹＦを０にリセットする（ステップＳ１５）。ＲＥＣＦ若しくはＰＬＡＹＦをリセットした後、又は、ＲＥＣＦおよびＰＬＡＹＦがともに０である場合には、ＣＰＵ１１０は、ステップＳ２に移行して、スイッチ部１０８の操作の有無を検索する。
【００１９】
図３のフローチャートにおいて、ＣＰＵ１１０は、スイッチ部１０８の操作によってメニュー表示指示がされたか否かを判別し（ステップＳ１６）、メニュー表示指示がされたときは、さらに、ＲＥＣＦおよびＰＬＡＹＦがともに０であるか否かを判別する（ステップＳ１７）。この２つのフラグが０である場合には、ＣＰＵ１１０は、記録部１１１の録画番組情報エリア内のタイトル名のリストを入出力部１０７によって表示部１１２に表示する（ステップＳ１８）。そして、ＣＰＵ１１０は、ひとつのタイトル名（例えば、リストの最初のタイトル名）を反転表示などによって強調表示し（ステップＳ１９）、メニューフラグＭＥＮＵＦを１（タイトル表示中）にセットする（ステップＳ２０）。ＭＥＮＵＦを１にセットした後、又は、ステップＳ１７においてＲＥＣＦ若しくはＰＬＡＹＦが１である場合には、ＣＰＵ１１０は、図２のステップＳ２に移行して、スイッチ部１０８の操作の有無を検索する。
【００２０】
ＣＰＵ１１０は、スイッチ部１０８の操作によってキャンセル指示がされたか否かを判別し（ステップＳ２１ａ）、キャンセル指示がされたときは、ＭＥＮＵＦが１であるか否かを判別し（ステップＳ２１ｂ）、このフラグが１の場合には、タイトル画面を消去して（ステップＳ２２）、ＭＥＮＵＦを０にリセットする（ステップＳ２３）。ＭＥＮＵＦをリセットした後は、ＣＰＵ１１０は、図２のステップＳ２に移行して、スイッチ部１０８の操作の有無を検索する。
【００２１】
ＣＰＵ１１０は、スイッチ部１０８のカーソルキーによる指示がされたか否かを判別し（ステップＳ２４）、カーソルキーによる指示がされたときは、ＭＥＮＵＦが１であるか否かを判別し（ステップＳ２５）、このフラグが１の場合には、別のタイトル名の強調表示を行う（ステップＳ２６）。別のタイトル名の強調表示の後、又は、ＭＥＮＵＦが０の場合には、ＣＰＵ１１０は、図２のステップＳ２に移行して、スイッチ部１０８の操作の有無を検索する。
【００２２】
図４のフローチャートにおいて、ＣＰＵ１１０は、スイッチ部１０８の操作によって再生指示がされたか否かを判別し（ステップＳ２７）、再生指示がされたときは、ＭＥＮＵＦが１であるか否かを判別し（ステップＳ２８）、このフラグが１の場合には、強調表示されたタイトル名の録画データを指定する（ステップＳ２９）。次に、ＣＰＵ１１０は、タイトル画面を消去し（ステップＳ３０）、ＭＥＮＵＦを０にリセットし（ステップＳ３１）、タイマを０にリセットし（ステップＳ３２）、ＰＬＡＹＦを１にセットする（ステップＳ３３）。ＰＬＡＹＦをセットした後、又は、ステップＳ２８においてＭＥＮＵＦが０の場合には、ＣＰＵ１１０は、図２のステップＳ２に移行して、スイッチ部１０８の操作の有無を検索する。
【００２３】
ＣＰＵ１１０は、スイッチ部１０８の操作によって早送り指示がされたか否かを判別し（ステップＳ３４）、早送り指示がされたときは、ＰＬＡＹＦが１であるか否かを判別し（ステップＳ３５）、このフラグが１の場合には、早送り区間情報を記憶するエリアの空きを確保する（ステップＳ３６）。そして、ＣＰＵ１１０は、再生中の録画データのタイトル名を保存し（ステップＳ３７）、読み出されている画像を保存する（ステップＳ３８）。さらに、ＣＰＵ１１０は、読み出されている録画データの時間をＲＡＭのレジスタＴ１にストアする（ステップＳ３９）。次に、ＣＰＵ１１０は、録画データの読み出し速度を増加し（ステップＳ４０）、早送りフラグＦＡＳＴＦを１にセットする（ステップＳ４１）。ＦＡＳＴＦをセットした後、又は、ステップＳ３５においてＰＬＡＹＦが１の場合には、ＣＰＵ１１０は、図２のステップＳ２に移行して、スイッチ部１０８の操作の有無を検索する。
【００２４】
図５のフローチャートにおいて、ＣＰＵ１１０は、スイッチ部１０８の操作によって早送り停止指示すなわち再生指示がされたか否かを判別し（ステップＳ４２）、早送り停止指示がされたときは、ＦＡＳＴＦが１であるか否かを判別し（ステップＳ４３）、このフラグが１の場合には、読み出される画像データの時間をＲＡＭのレジスタＴ２にストアする（ステップＳ４４）。そして、ＣＰＵ１１０は、Ｔ２−Ｔ１の時間差すなわち早送り期間の時間長を早送り区間情報を記憶する記録部１１１のエリアに保存する（ステップＳ４５）。次に、ＣＰＵ１１０は、読み出し速度を元の再生速度に戻す（ステップＳ４６）。また、ＣＰＵ１１０は、ＦＡＳＴＦを０にリセットし（ステップＳ４７）、ＦＡＳＴＦをリセットした後、又は、ステップＳ４３においてＦＡＳＴＦが０の場合には、図２のステップＳ２に移行して、スイッチ部１０８の操作の有無を検索する。
【００２５】
ＣＰＵ１１０は、スイッチ部１０８の操作がない場合には、ＲＥＣＦおよびＰＬＡＹＦの状態を検索する。ＣＰＵ１１０は、ＲＥＣＦが１であるか否かを判別し（ステップＳ４８）、このフラグが１である場合には、ＲＡＭのタイマをインクリメントして（ステップＳ４９）、復調回路からの復調データ（画像データおよび音声データ）をタイマの時間とともに、記録部１１１における録画番組記憶エリアに録画データとして順次保存する（ステップＳ５０）。
【００２６】
ステップＳ４８においてＲＥＣＦが０である場合には、ＣＰＵ１１０は、図６のフローチャートにおいて、ＰＬＡＹＦが１であるか否かを判別する（ステップＳ５１）。このフラグが１の場合には、ＣＰＵ１１０は、記録部１１１から録画データと時間を読み出し（ステップＳ５２）、録画データのタイトルと早送り区間情報の記憶エリア内のデータで同一のタイトルのものをさがす（ステップＳ５３）。そして、ＣＰＵ１１０は、同一のタイトルのものがあるか否かを判別し（ステップＳ５４）、同一のタイトルのものがある場合には、画像データも一致するか否かを判別する（ステップＳ５５）。
【００２７】
ステップＳ５４において同一のタイトルがない場合、又は、ステップＳ５５において画像データが一致しない場合には、ＣＰＵ１１０は、記録部１１１の記録媒体の読み出し位置を進める（ステップＳ５６）。そして、ＣＰＵ１１０は、読み出し位置が録画終了位置に達したか否かを判別する（ステップＳ５７）。録画終了位置に達しない場合には、ＣＰＵ１１０は、図２のステップＳＡ２に移行して、スイッチ部１０８の操作の有無を検索する。一方、録画終了位置に達したときは、ＣＰＵ１１０は、図２のステップＳＡ１４に移行して、再生を停止する。
【００２８】
図６において、タイトルが同一で画像データも一致する場合には、その画像データは前回の再生で早送りされてスキップされたＣＭの部分であるので、ＣＰＵ１１０は、「早送りスキップする？」というメッセージを画面に表示する（ステップＳ５８）。このメッセージとともに、「早送りスキップする（ＹＥＳ）」および「早送りスキップしない（ＮＯ）」のように早送り許諾および早送り拒否の指示を促すメッセージを表示してもよい。そして、ＣＰＵ１１０は、「ＥＮＴＥＲ」キー又は「Ｙ」キーなどのオン操作によって、ＹＥＳ（許諾）の指示がされたか否かを判別する（ステップＳ５９）。許諾の指示がされたときは、ＣＰＵ１１０は、録画データの時間をレジスタＴ１にストアし（ステップＳ６０）、Ｔ１の時間と記録部１１１に記憶された区間長さ、すなわち、図５のステップＳ４５において算出された早送り期間の時間長とを加算して、レジスタＴ２にストアする（ステップＳ６１）。そして、ＣＰＵ１１０は、記録部１１１における記録媒体の読み出し位置をＴ２の時間を有する録画データに変更する（ステップＳ６２）。すなわち、ＣＭの画像データを記録したエリアをスキップして、次の番組データの読み出し位置に移動する。ステップＳ５９において許諾の指示がない場合には、ＣＰＵ１１０は、「ＥＳＣ」キー又は「Ｎ」キーなどのオン操作によって、ＮＯ（拒否）の指示がされたか否かを判別する（ステップＳ６３）。
【００２９】
ＣＰＵ１１０は、ステップＳ６２において読み出し位置をＴ２の時間を有する録画データに変更した後、又は、ステップＳ６３において拒否の指示がされたときは、「早送りスキップする？」というメッセージの画面を消去する（ステップＳ６４）。そして、ＣＰＵ１１０は、図２のステップＳ２に移行して、スイッチ部１０８の操作の有無を検索する。ＣＰＵ１１０は、スイッチ部１０８から再生停止の操作がされない限り、図６の再生処理を続行し、読み出し位置が録画終了位置に達したときは再生を停止する。
【００３０】
以上のように、この第１実施形態によれば、ＣＰＵ１１０は、テレビ放送の番組データをＣＭのデータとともに記録した記録部１１１から番組データを読み出して再生している場合に、ＣＭの部分の再生開始に応じて早送り指令が入力され、ＣＭ部分の終了に応じて再生指令が入力されたときは、再生指令が入力された時間Ｔ２から早送り指令が入力された時間Ｔ１を減算した時間長（Ｔ２−Ｔ１）、早送り指令が入力された時間Ｔ１における再生中の画像、およびタイトル名を記録部１１１に記憶し、再生中の画像と保存した画像とを比較して、両者の画像およびタイトル名が一致する場合には、記録部１１１に記憶した時間長に基づいて、記録部１１１における録画データの読み出し位置をスキップする早送り動作を行う。
したがって、録画した番組データを再生する際に、その番組に挿入されたＣＭ部分をスキップして再生できる。
【００３１】
この場合において、ＣＰＵ１１０は、早送り指令が入力されたときは再生中の番組データの画像の少なくとも１フレームの静止画を記憶する構成にしてもよい。
したがって、動画を記憶する場合に比較して記憶容量が極めて少ないので、ＣＭ部分をスキップするために、記録部１１１に録画される番組データに支障をきたすことがない。
【００３２】
次に、第２実施形態について説明する。図７は、第２実施形態における番組録画装置の構成を示すブロック図である。この番組録画装置は、放送衛星（ＢＳ）および、通信衛星（ＣＳ）のデジタル放送の電波、並びに、地上波デジタル放送の電波をアンテナＡＴから受信する。さらに、受信する電波の方式も、日本で用いられているＩＳＤＢ−Ｔ（Terrestrial Integrated Services Digital Broadcasting）方式だけでなく、米国で用いられているＡＴＳＣ（Advanced Television Systems Committee）方式、および、欧州で用いられているＤＶＢ−Ｔ（Digital Video Broadcasting - Terrestrial）方式にも適用できるように、例えば、プリント基板の交換によって対応可能な構成になっている。
【００３３】
番組再生系において、チューナ２０１は、アンテナＡＴから得られる電波の中で、設定チャンネルに基づく受信信号を選択する。ＯＦＤＭ復調回路２０２は、チューナ２０１によって選択された受信信号を復調する。復号回路２０３は、ＯＦＤＭ復調回路２０２によって復調された受信信号を映像データおよび音声データを含む番組データに復号化する。入出力部２０４は、復号回路２０３によって復号化された番組データの映像を表示部２０５に表示し、番組データの音声を発音部２０６から発音する。
【００３４】
制御系において、ＣＰＵ１１０は、制御プログラムや初期データを記憶するＲＯＭおよびワークエリアであるＲＡＭ（いずれも図示せず）を有し、システムバスを介して、上記したチューナ２０１、ＯＦＤＭ復調回路２０２、復号回路２０３、入出力部２０４に接続されているとともに、スイッチ部１０８、ＰＳＩ（Program  Specific  Information：番組特定情報）デコーダ部１０９、および記録部１１１に接続されている。ＣＰＵ１１０は、スイッチ部１０８の操作に応じて、ＲＯＭに格納されている制御プログラムを実行し、処理するデータをＲＡＭに一時的にストアして、この番組録画装置を制御する。ＰＳＩデコーダ部１０９は、復調された受信信号から番組にタイトルやその他のデータを抽出する。記録部１１１は、例えば、ハードディスク装置（ＨＤＤ）で構成され、スイッチ部１０８の操作による録画指令に応じて、ＯＦＤＭ復調回路２０２によって復調された番組データ、すなわち、符号化された番組データをハードディスクなどの記録媒体に記録する。ＣＰＵ１１０はまた、スイッチ部１０８の操作による再生指令に応じて、記録部１１１に記録された録画データおよび音声データを読み出して、復号回路２０３で復号化して、入出力部２０４から表示部２０５および発音部２０６に出力する。
【００３５】
図１に示した第１実施形態の番組録画装置は、日本国内において２０１１年から地上波アナログ放送に代わって放送される地上波デジタル放送を受信する装置であるが、図７に示した第２実施形態の番組録画装置は、上記したように、日本だけでなく欧米その他の諸外国において、地上波デジタル放送、ＢＳ衛星デジタルおよびＣＳ衛星デジタル放送を受信できるようになっている。このため、ＣＰＵ１１０によって実行される番組再生処理のプログラムも、これらの仕様に適応できるように柔軟な設計になっている。したがって、図７に示した第２実施形態の番組録画装置の動作については、図２乃至図６に示した第１実施形態のＣＰＵ１１０によって実行されるフローチャートとほとんど同じであるので、重複する説明については省略する。
【００３６】
なお、上記各実施形態においては、再生中の画像と保存した画像とを比較して、両者の画像およびタイトル名が一致する場合に再生位置をスキップする早送り動作を行う構成にしたが、タイトル名は異なるが両者の画像が一致する場合も読み出し位置をスキップする早送り動作を行う構成にしてもよい。異なるチャンネルにおける番組の中でも同一のＣＭが放送されることが多いので、タイトル名が異なる場合でもＣＭの画像が一致する場合には読み出し位置をスキップする効果がある。
【００３７】
また、上記各実施形態においては、読み出し位置をスキップする際に、「早送りスキップする？」というメッセージを画面に表示する構成にしたが、このメッセージを画面に表示することなく、すなわち、ユーザの指示を待つことなく即座に再生位置をスキップする構成にしてもよい。この場合には、ユーザは再生開始の指示の操作をするだけで、その後はなんらの操作を要することなく、ＣＭ部分をスキップしながら再生を続けることができる。仮にユーザがスキップを拒否する場合でも、再生停止指示と逆送り指示によってスキップ前の再生位置に戻ることができる。
【００３８】
また、上記各実施形態においては、記録部１１１において、録画する画像データの記憶エリア、および、早送り区間情報の記憶エリアを設ける構成にしたが、早送り区間情報の記憶エリアを記録部１１１とは別個の記憶手段、例えば、フラッシュＲＯＭなどの半導体メモリで構成してもよい。通常、記録部１１１はハードディスク装置で構成されており、ハードディスクの記録面に近接するピックアップによって画像データの書き込みおよび読み出しを行っている。特に、再生処理の場合には、ハードディスクの読み出し位置を順次進めながら画像データを読み出している。このため、その再生処理と並行して、別の記憶エリアにピックアップを移動して早送り区間情報を読み出す動作は、ＣＰＵ１１０の負荷やピックアップのシーク速度の点で処理が遅くなることもあり得るので、早送り区間情報の記憶エリアを記録部１１１とは別個の記憶手段で構成したほうが好ましい。
【００３９】
また、上記各実施形態においては、ＣＭの始期における画像を早送り区間情報の記憶エリアに保存するような構成にしたが、複数のＣＭが連続する場合には、各ＣＭの始期における画像を保存して、各ＣＭの期間をスキップする構成にしてもよい。地上波デジタル放送においては、ＣＭ連動型情報提供サービスが計画されており、ＣＭに連動したデータ放送の広告モデルとして注目されている。この場合には、ＣＭごとの識別が必要になるので、連続する複数のＣＭの区切りを検出できる。このサービスを利用して、各ＣＭの期間をスキップする構成にすれば、放送の時間によって連続するＣＭの組み合わせが変更された場合、又は、別チャンネルにおいて連続するＣＭの組み合わせが異なる場合でも、録画した番組データを再生する際に、その番組に挿入されたＣＭ部分を確実にスキップして再生できる。
【００４０】
また、上記各実施形態においては、ＣＰＵ１１０内のＲＯＭに予め記憶された制御プログラムによって番組再生処理を実行する装置の発明について説明したが、ＣＤ−ＲＯＭなどの外部記憶媒体に記憶された番組再生処理のプログラム、又は、ネットワークと通信する通信手段を設けて、外部のサーバなどからダウンロードした番組再生処理のプログラムを、記録部１１１又は他に用意した不揮発性メモリにインストールして、ＣＰＵ１１０が実行する構成も可能である。この場合には、プログラムの発明、記憶媒体の発明、および番組再生方法の発明を実現する。
【００４１】
すなわち、そのプログラムは、
記録されたテレビ放送の番組データを読み出して再生するステップＡと、前記ステップＡによる番組データの再生中に、早送り指令が入力され、当該早送り中に再生指令が入力されたときは、早送り指令が入力された時間および再生指令が入力された時間に基づく時間情報並びに早送り指令が入力された時間における再生中の画像を記憶手段に記憶するステップＢと、前記ステップＡによる番組データの再生中に、当該再生中の画像と前記記憶手段に記憶された画像とを比較して両者の画像が一致するか否かを検出するステップＣと、前記ステップＣによって両者の画像が一致することが検出されたときは、前記記憶手段に記憶された時間情報に基づいて、記録された番組データの読み出し位置をスキップする早送り動作を前記ステップＡに指示するステップＤと、をコンピュータに実行させる。
【００４２】
前記ステップＤは、早送りの許諾又は拒否を問うメッセージを表示手段に表示し、許諾指令が入力された場合に前記再生制御手段に対して早送り動作を指示し、拒否指令が入力された場合には前記再生制御手段に再生を続行させることを特徴とする。
【００４３】
前記ステップＢは、早送り指令が入力されたときは再生中の番組データの画像の少なくとも１フレームの静止画を記憶することを特徴とする。
【００４４】
前記ステップＢは、早送り指令が入力されたときは再生中の番組データを識別する識別情報を画像および時間情報とともに前記記憶手段に記憶し、前記ステップＣは、再生中の画像および識別情報と前記記憶手段に記憶された画像および識別情報とを比較して両者の画像および識別情報が一致するか否かを検出することを特徴とする。
【００４５】
上記各実施形態および添付した図面は、単に本発明の原理を示すためのものであり、本発明の技術的な思想である特許請求の範囲を逸脱しない限り、これら各実施形態および図面に基づいて、当業者が容易に想到できる様々な他の実施形態および変形例についても、本発明の原理に属するものである。
【図面の簡単な説明】
【００４６】
【図１】本発明の第１実施形態の番組録画装置の構成を示すブロック図。
【図２】図１のＣＰＵによって実行される番組再生処理のフローチャート。
【図３】図２に続く番組再生処理のフローチャート。
【図４】図３に続く番組再生処理のフローチャート。
【図５】図４に続く番組再生処理のフローチャート。
【図６】図５に続く番組再生処理のフローチャート。
【図７】本発明の第２実施形態の番組録画装置の構成を示すブロック図。
【符号の説明】
【００４７】
１０１  １３セグメントのチューナ
１０２  １セグメントのチューナ
１０３  １３セグメントＯＦＤＭ復調回路
１０４  １セグメントＯＦＤＭ復調回路
１０５  １３セグメント用復号回路
１０６  １セグメント用復号回路
１０７  入出力回路
１０８  スイッチ部
１０９  ＰＳＩデコーダ部
１１０  ＣＰＵ
１１１  記録部
１１２  表示部
１１３  発音部
２０１  チューナ
２０２  ＯＦＤＭ復調回路
２０３  復号回路
２０４  入出力回路
２０５  表示部
２０６  発音部
【図１】
0004576566.tif 000002
【図２】
0004576566.tif 000003
【図３】
0004576566.tif 000004
【図４】
0004576566.tif 000005
【図５】
0004576566.tif 000006
【図６】
0004576566.tif 000007
【図７】
0004576566.tif 000008